(57)【要約】【課題】表示装置、その駆動方法およびそのストレス補償システムを提供する。【解決手段】本発明の一実施形態による表示装置の駆動方法は、第１符号化ストレスプロファイルおよび第１シンボル統計資料集合をメモリから読み取る段階と、第１デコーダによって前記第１符号化ストレスプロファイルを前記第１シンボル統計資料集合と共に処理して第１復号化ストレスプロファイルと第２シンボル統計資料集合を形成する段階と、前記第１復号化ストレスプロファイルを増加させて第２ストレスプロファイルを形成する段階と、エンコーダによって前記第２ストレスプロファイルを前記第２シンボル統計資料集合と共に処理して第２符号化ストレスプロファイルを形成する段階と、前記第２符号化ストレスプロファイルを前記メモリに格納する段階とを含む。【選択図】図３
2019159325.tif 000002
【特許請求の範囲】
【請求項１】
第１符号化ストレスプロファイルおよび第１シンボル統計資料集合をメモリから読み取る段階と、
第１デコーダによって前記第１符号化ストレスプロファイルを前記第１シンボル統計資料集合と共に処理して第１復号化ストレスプロファイルと第２シンボル統計資料集合を形成する段階と、
前記第１復号化ストレスプロファイルを増加させて第２ストレスプロファイルを形成する段階と、
エンコーダによって前記第２ストレスプロファイルを前記第２シンボル統計資料集合と共に処理して第２符号化ストレスプロファイルを形成する段階と、
前記第２符号化ストレスプロファイルを前記メモリに格納する段階とを含む、表示装置の駆動方法。
【請求項２】
前記第２符号化ストレスプロファイルの形成段階は、エントロピー符号化を使用して前記第２ストレスプロファイルを符号化する段階を含む、請求項１に記載の表示装置の駆動方法。
【請求項３】
前記第２符号化ストレスプロファイルの形成段階は、算術エンコーディングを使用して前記第２ストレスプロファイルを符号化する段階を含む、請求項２に記載の表示装置の駆動方法。
【請求項４】
第２デコーダによって前記第１符号化ストレスプロファイルを前記第１シンボル統計資料集合と共に処理して前記第１復号化ストレスプロファイルを形成する段階と、
第１原本駆動電流および前記第１復号化ストレスプロファイルに基づいて第１調整駆動電流を計算する段階と、
前記第１調整駆動電流と同じ電流で前記表示装置の副画素を駆動する段階とをさらに含む、請求項１に記載の表示装置の駆動方法。
【請求項５】
前記第２ストレスプロファイルの形成段階は、前記第１復号化ストレスプロファイルの要素（ｅｌｅｍｅｎｔ）に前記第１調整駆動電流に比例する数を加える段階を含む、請求項４に記載の表示装置の駆動方法。
【請求項６】
前記第１調整駆動電流と同じ電流で前記表示装置の副画素を駆動した後、
第２原本駆動電流および前記第１復号化ストレスプロファイルに基づいて第２調整駆動電流を計算する段階と、
前記第２調整駆動電流と同じ電流で前記表示装置の副画素を駆動する段階とをさらに含む、請求項４に記載の表示装置の駆動方法。
【請求項７】
前記第２ストレスプロファイルの形成段階は、前記第１復号化ストレスプロファイルの要素（ｅｌｅｍｅｎｔ）に前記第２調整駆動電流に比例する数を加える段階を含む、請求項６に記載の表示装置の駆動方法。
【請求項８】
メモリ、そして
第１デコーダおよびエンコーダを含む処理回路を含み、
前記処理回路は、
第１符号化ストレスプロファイルおよび第１シンボル統計資料集合を前記メモリから読み取り、
前記第１デコーダを通して前記第１符号化ストレスプロファイルを前記第１シンボル統計資料集合と共に処理して第１復号化ストレスプロファイルおよび第２シンボル統計資料集合を形成し、
前記第１復号化ストレスプロファイルを増加させて第２ストレスプロファイルを形成し、
前記エンコーダを通して前記第２ストレスプロファイルを前記第２シンボル統計資料集合と処理して第２符号化ストレスプロファイルを形成し、
前記第２符号化ストレスプロファイルを前記メモリに格納する、表示装置のストレス補償システム。
【請求項９】
前記第２符号化ストレスプロファイルの形成は、エントロピー符号化を使用して前記第２ストレスプロファイルを符号化する、請求項８に記載のストレス補償システム。
【請求項１０】
前記第２符号化ストレスプロファイルの形成は、算術エンコーディングを使用して前記第２ストレスプロファイルを符号化する、請求項９に記載のストレス補償システム。
【請求項１１】
前記処理回路は第２デコーダをさらに含み、
前記処理回路は、
第２デコーダによって前記第１符号化ストレスプロファイルを前記第１シンボル統計資料集合と共に処理して前記第１復号化ストレスプロファイルを形成し、
第１原本駆動電流および前記第１復号化ストレスプロファイルに基づいて第１調整駆動電流を計算し、
前記第１調整駆動電流と同じ電流で前記表示装置の副画素を駆動する、請求項８に記載のストレス補償システム。
【請求項１２】
前記第２ストレスプロファイルの形成は、前記第１復号化ストレスプロファイルの要素（ｅｌｅｍｅｎｔ）に前記第１調整駆動電流に比例する数を加える、請求項１１に記載のストレス補償システム。
【請求項１３】
前記処理回路は、
前記第１調整駆動電流と同じ電流で前記表示装置の副画素を駆動した後、
第２原本駆動電流および前記第１復号化ストレスプロファイルに基づいて第２調整駆動電流を計算し、
前記第２調整駆動電流と同じ電流で前記表示装置の副画素を駆動する、請求項１１に記載のストレス補償システム。
【請求項１４】
前記第２ストレスプロファイルの形成は、前記第１復号化ストレスプロファイルの要素（ｅｌｅｍｅｎｔ）に前記第２調整駆動電流に比例する数を加える、請求項１３に記載のストレス補償システム。
【請求項１５】
表示パネル、
メモリ、そして
第１デコーダおよびエンコーダを含む処理回路を含み、
前記処理回路は、
第１符号化ストレスプロファイルおよび第１シンボル統計資料集合を前記メモリから読み取り、
前記第１デコーダを通して前記第１符号化ストレスプロファイルを前記第１シンボル統計資料集合と共に処理して第１復号化ストレスプロファイルおよび第２シンボル統計資料集合を形成し、
前記第１復号化ストレスプロファイルを増加させて第２ストレスプロファイルを形成し、
前記エンコーダを通して前記第２ストレスプロファイルを前記第２シンボル統計資料集合と処理して第２符号化ストレスプロファイルを形成し、
前記第２符号化ストレスプロファイルを前記メモリに格納する、表示装置。
【請求項１６】
前記第２符号化ストレスプロファイルの形成は、エントロピー符号化を使用して前記第２ストレスプロファイルを符号化する、請求項１５に記載の表示装置。
【請求項１７】
前記第２符号化ストレスプロファイルの形成は、算術エンコーディングを使用して前記第２ストレスプロファイルを符号化する、請求項１６に記載の表示装置。
【請求項１８】
前記処理回路は第２デコーダをさらに含み、
前記処理回路は、
第２デコーダによって前記第１符号化ストレスプロファイルを前記第１シンボル統計資料集合と共に処理して前記第１復号化ストレスプロファイルを形成し、
第１原本駆動電流および前記第１復号化ストレスプロファイルに基づいて第１調整駆動電流を計算し、
前記第１調整駆動電流と同じ電流で前記表示装置の副画素を駆動する、請求項１５に記載の表示装置。
【請求項１９】
前記処理回路は、
前記第１調整駆動電流と同じ電流で前記表示装置の副画素を駆動した後、
第２原本駆動電流および前記第１復号化ストレスプロファイルに基づいて第２調整駆動電流を計算し、
前記第２調整駆動電流と同じ電流で前記表示装置の副画素を駆動する、請求項１８に記載の表示装置。
【請求項２０】
前記第２ストレスプロファイルの形成は、前記第１復号化ストレスプロファイルの要素（ｅｌｅｍｅｎｔ）に前記第２調整駆動電流に比例する数を加える、請求項１９に記載の表示装置。
【発明の詳細な説明】
【技術分野】
【０００１】
本発明は、表示装置、その駆動方法およびそのストレス補償システムに関する。
【０００２】
[関連出願の相互参照]
本出願は、２０１８年３月１５日付にて米国特許庁に出願した米国特許出願第６２／６４３、６２２号に基づく優先権を主張し、ここで引用したことにより、この出願の全体内容が本願に含まれる。
【背景技術】
【０００３】
有機発光ダイオード表示装置などのような映像表示装置で寿命期間の間に画質を維持するために出力低下（ｏｕｔｐｕｔ  ｄｅｃｌｉｎｅ）に対する補償を使用する。しかし、このような補償を実行するために使用されるデータ量は膨大であるため、費用と表示装置の電力使用量が高くなる。
【０００４】
したがって、ストレス補償システムおよび方法を改善する必要がある。
【先行技術文献】
【特許文献】
【０００５】
【特許文献１】米国特許第８０２２９０８号明細書
【発明の概要】
【発明が解決しようとする課題】
【０００６】
本発明は、表示装置のストレスを補償するものである。
【課題を解決するための手段】
【０００７】
本発明の一実施形態による表示装置の駆動方法は、第１符号化ストレスプロファイルおよび第１シンボル統計資料集合をメモリから読み取る段階と、第１デコーダによって前記第１符号化ストレスプロファイルを前記第１シンボル統計資料集合と共に処理して第１復号化ストレスプロファイルと第２シンボル統計資料集合を形成する段階と、前記第１復号化ストレスプロファイルを増加させて第２ストレスプロファイルを形成する段階と、エンコーダによって前記第２ストレスプロファイルを前記第２シンボル統計資料集合と共に処理して第２符号化ストレスプロファイルを形成する段階と、前記第２符号化ストレスプロファイルを前記メモリに格納する段階とを含む。
【０００８】
本発明の一実施形態によれば、前記第２符号化ストレスプロファイルの形成段階は、エントロピー符号化を使用して前記第２ストレスプロファイルを符号化する段階を含むことができる。
【０００９】
本発明の一実施形態によれば、前記第２符号化ストレスプロファイルの形成段階は、算術エンコーディングを使用して前記第２ストレスプロファイルを符号化する段階を含むことができる。
【００１０】
本発明の一実施形態による駆動方法は、第２デコーダによって前記第１符号化ストレスプロファイルを前記第１シンボル統計資料集合と共に処理して前記第１復号化ストレスプロファイルを形成する段階と、第１原本駆動電流および前記第１復号化ストレスプロファイルに基づいて第１調整駆動電流を計算する段階と、前記第１調整駆動電流と同じ電流で前記表示装置の副画素を駆動する段階とをさらに含むことができる。
【００１１】
本発明の一実施形態によれば、前記第２ストレスプロファイルの形成段階は、前記第１復号化ストレスプロファイルの要素（ｅｌｅｍｅｎｔ）に前記第１調整駆動電流に比例する数を加える段階を含むことができる。
【００１２】
本発明の一実施形態によれば、前記第１調整駆動電流と同じ電流で前記表示装置の副画素を駆動した後、第２原本駆動電流および前記第１復号化ストレスプロファイルに基づいて第２調整駆動電流を計算する段階と、前記第２調整駆動電流と同じ電流で前記表示装置の副画素を駆動する段階とをさらに含むことができる。
【００１３】
本発明の一実施形態によれば、前記第２ストレスプロファイルの形成段階は、前記第１復号化ストレスプロファイルの要素（ｅｌｅｍｅｎｔ）に前記第２調整駆動電流に比例する数を加える段階を含むことができる。
【００１４】
本発明の一実施形態による表示装置のストレス補償システムは、メモリ、そして第１デコーダおよびエンコーダを含む処理回路を含み、前記処理回路は、第１符号化ストレスプロファイルおよび第１シンボル統計資料集合を前記メモリから読み取り、前記第１デコーダを通して前記第１符号化ストレスプロファイルを前記第１シンボル統計資料集合と共に処理して第１復号化ストレスプロファイルおよび第２シンボル統計資料集合を形成し、前記第１復号化ストレスプロファイルを増加させて第２ストレスプロファイルを形成し、前記エンコーダを通して前記第２ストレスプロファイルを前記第２シンボル統計資料集合と処理して第２符号化ストレスプロファイルを形成し、前記第２符号化ストレスプロファイルを前記メモリに格納する。
【００１５】
本発明の一実施形態によれば、前記第２符号化ストレスプロファイルの形成は、エントロピー符号化を使用して前記第２ストレスプロファイルを符号化することができる。
【００１６】
本発明の一実施形態によれば、前記第２符号化ストレスプロファイルの形成は、算術エンコーディングを使用して前記第２ストレスプロファイルを符号化することができる。
【００１７】
本発明の一実施形態によれば、前記処理回路は第２デコーダをさらに含み、前記処理回路は、第２デコーダによって前記第１符号化ストレスプロファイルを前記第１シンボル統計資料集合と共に処理して前記第１復号化ストレスプロファイルを形成し、第１原本駆動電流および前記第１復号化ストレスプロファイルに基づいて第１調整駆動電流を計算し、前記第１調整駆動電流と同じ電流で前記表示装置の副画素を駆動することができる。
【００１８】
本発明の一実施形態によれば、前記第２ストレスプロファイルの形成は、前記第１復号化ストレスプロファイルの要素（ｅｌｅｍｅｎｔ）に前記第１調整駆動電流に比例する数を加えることができる。
【００１９】
本発明の一実施形態によれば、前記処理回路は、前記第１調整駆動電流と同じ電流で前記表示装置の副画素を駆動した後、第２原本駆動電流および前記第１復号化ストレスプロファイルに基づいて第２調整駆動電流を計算し、前記第２調整駆動電流と同じ電流で前記表示装置の副画素を駆動することができる。
【００２０】
本発明の一実施形態によれば、前記第２ストレスプロファイルの形成は、前記第１復号化ストレスプロファイルの要素（ｅｌｅｍｅｎｔ）に前記第２調整駆動電流に比例する数を加えることができる。
【００２１】
本発明の一実施形態による表示装置は、表示パネル、メモリ、そして第１デコーダおよびエンコーダを含む処理回路を含み、前記処理回路は、第１符号化ストレスプロファイルおよび第１シンボル統計資料集合を前記メモリから読み取り、前記第１デコーダを通して前記第１符号化ストレスプロファイルを前記第１シンボル統計資料集合と共に処理して第１復号化ストレスプロファイルおよび第２シンボル統計資料集合を形成し、前記第１復号化ストレスプロファイルを増加させて第２ストレスプロファイルを形成し、前記エンコーダを通して前記第２ストレスプロファイルを前記第２シンボル統計資料集合と処理して第２符号化ストレスプロファイルを形成し、前記第２符号化ストレスプロファイルを前記メモリに格納する。
【００２２】
本発明の一実施形態によれば、前記第２符号化ストレスプロファイルの形成は、エントロピー符号化を使用して前記第２ストレスプロファイルを符号化することができる。
【００２３】
本発明の一実施形態によれば、前記第２符号化ストレスプロファイルの形成は、算術エンコーディングを使用して前記第２ストレスプロファイルを符号化することができる。
【００２４】
本発明の一実施形態によれば、前記処理回路は第２デコーダをさらに含み、前記処理回路は、第２デコーダによって前記第１符号化ストレスプロファイルを前記第１シンボル統計資料集合と共に処理して前記第１復号化ストレスプロファイルを形成し、第１原本駆動電流および前記第１復号化ストレスプロファイルに基づいて第１調整駆動電流を計算し、前記第１調整駆動電流と同じ電流で前記表示装置の副画素を駆動することができる。
【００２５】
本発明の一実施形態によれば、前記処理回路は、前記第１調整駆動電流と同じ電流で前記表示装置の副画素を駆動した後、第２原本駆動電流および前記第１復号化ストレスプロファイルに基づいて第２調整駆動電流を計算し、前記第２調整駆動電流と同じ電流で前記表示装置の副画素を駆動することができる。
【００２６】
本発明の一実施形態によれば、前記第２ストレスプロファイルの形成は、前記第１復号化ストレスプロファイルの要素（ｅｌｅｍｅｎｔ）に前記第２調整駆動電流に比例する数を加えることができる。
【００２７】
このようにすることにより、表示装置のストレスを効果的に補償することができる。
【図面の簡単な説明】
【００２８】
【図１】本発明の一実施形態による表示装置のブロック図である。
【図２】本発明の一実施形態による非圧縮ストレス補償システムのブロック図である。
【図３】本発明の一実施形態による圧縮ストレス補償システムのブロック図である。
【図４】本発明の一実施形態による表示装置の一部を示す概略図である。
【図５】本発明の一実施形態によるストレス補償システムのブロック図である。
【発明を実施するための形態】
【００２９】
以下に添付図面を参照して後述する詳細な説明は、ストレスプロファイル圧縮システムおよび方法の実施形態に関し、本発明によって実現または利用される形態を全て表現するものではない。以下、添付図面を参照して本発明の一実施形態について詳細に説明する。しかし、互いに異なる実施形態で具現されるものと同一または均等な機能と構造も本発明の範囲内に含まれる。明細書全体にわたって同一または類似の構成要素には同一の参照符号を付ける。
【００３０】
特定種類の映像表示装置は使用に応じて変化する特性を持っている。例えば、有機発光ダイオード（ＯＬＥＤ：有機発光ダイオード）表示装置は、複数の画素（ｐｉｘｅｌ）を有している表示パネルを含むことができる。各画素はいくつかの副画素（ｓｕｂｐｉｘｅｌ）（例：赤色副画素、緑色副画素、青色副画素）からなることができ、各副画素は、当該色の光を発光する有機発光ダイオードを含むことができる。それぞれの有機発光ダイオードの光効率は使用に応じて落ちて、例えば、有機発光ダイオードがしばらくの間動作した後には、特定電流に対する光学的出力が新しいものよりも低いこともある。
【００３１】
光効率が落ちると表示装置の寿命期間の間平均的に他の部分より明るい部分を表示する部分にディミング（ｄｉｍｍｉｎｇ）が発生する。例えば、監視カメラから受け取ったほとんど変わらない映像を見るために使用される表示装置で、カメラの視野が一日のほとんどの時間において、光が入ってきて相対的に明るい第１部分と日陰で相対的に暗い第２部分を含む場面を含む場合、そのうち第２部分よりも第１部分で光効率がさらに顕著に減少する。このような装置では、映像再生の正確度が時間が経つほど結局は落ちることになる。別の例として、映像の下側に位置し映像の他の部分とは黒い境界で分離された白色の文字を表示するために使用される表示装置の場合、黒い境界部分では光効率の低下の程度が他の部分に比べて少ないものであり、後でこの表示装置のパネル全体が一つの場面を表示するために使用される場合、以前に黒い境界を表示していた部分に明るい帯が表示されることがある（残像）。
【００３２】
表示装置のこのような光効率の不均一性の効果を減らすために、表示装置の使用に応じた光効率の減少を補償する機構を表示装置に含ませることができる。図１を参照すると、このような表示装置は、表示パネル１１０、処理回路１１５（後で詳しく説明する）およびメモリ１２０を含むことができる。“ストレスプロファイル”または“ストレステーブル”として参照されるメモリ１２０に含まれている内容は、表示装置の寿命期間の間各副画素が受けるストレス量を示す（またはストレス量を推論できる）数値、または“ストレス値”のテーブルであり得る。“ストレス値”は表示装置の寿命の間副画素を通して流れた総（時間積分）駆動電流、つまり、総電荷であり得る。例えば、メモリ１２０は、各副画素が新たなイメージ（ｉｍａｇｅ）を表示するごとにその副画素に対して１つの数を加えることができる。ここで、イメージは一緒に集まって表示映像（ｖｉｄｅｏ）をなす連続的なイメージストリームの一部である。当該イメージで各副画素に対する駆動電流を測定し、その電流または副画素の明るさを示す数字をメモリ１２０に加えることもできる。タイミング制御器と複数の駆動集積回路がある表示装置では、処理回路１１５が一つ以上の駆動集積回路またはその一部であり得る。一部の実施形態によれば、それぞれの駆動集積回路は表示パネル１１０の一部を駆動するために使用することができ、他の駆動集積回路と個別に当該部分にストレス追跡およびストレス補償を遂行することができる。
【００３３】
動作中に、各副画素に対する駆動電流を調節して光効率の予測損失（ｅｓｔｉｍａｔｅｄ  ｌｏｓｓ）を補償することができ、光効率の予測損失は副画素の総ストレス（ｌｉｆｅｔｉｍｅ ｓｔｒｅｓｓ）に基づく。例えば、メモリ１２０に蓄積された副画素の光効率の予測損失に合わせて（または、それに比例して）各副画素に対する駆動電流を増加させることによって、光効率が低下せず、駆動電流を増加させない状態と同様の光学的出力を出すことができる。副画素の物理モデルまたは実験的データに基づく非線形関数を使用して副画素の総ストレスに基づいた光効率の損失を推論または予測することができる。光効率の予測損失およびそれに伴う駆動電流調節量は処理回路１１５が計算できる。
【００３４】
図２は、本発明の一実施形態による非圧縮ストレス補償システムのブロック図である。ストレステーブルはメモリ２０５に格納される。動作中に、ストレステーブルでストレス値を読み取り、このストレス値は、駆動電流調節回路２１０（“補償ブロック”）が駆動電流調節値を計算するのに使用する。駆動電流調節値は（副画素の所望の光学出力に基づく）生の駆動電流値を副画素の蓄積ストレスにより調節したものである。駆動電流調節値は（表示される副画素の現在ストレス蓄積率を示し）副画素ストレスサンプリング回路２１５（“ストレスキャプチャーブロック”）に入力され、加算回路２２０で既存に格納された各ストレス値は現在ストレス蓄積率（つまり、駆動電流調節値に比例する数）ほど増加した後、再びメモリ２０５に格納される。メモリ制御器２２５はメモリ２０５での読み取り／書き込み動作を制御し、必要な場合ストレス値をメモリ２０５から駆動電流調節回路２１０および加算回路２２０に入力し、（現在のストレス蓄積率を加えることにより）増加されたストレス値をメモリ２０５に再び格納する。
【００３５】
各副画素の総ストレスを追跡するためには膨大な量のメモリを必要とする。例えば、１９２０ｘ１０８０画素の表示装置で、画素当たり３個の副画素があり、各副画素に４バイト（３２ビット）のストレスがあれば、必要なメモリサイズは約２５メガバイトである。また、映像の各フレーム（つまり、各表示イメージ）に対するストレス量を更新するのに必要な計算の負担も大きい。
【００３６】
副画素ストレスに起因した光効率の減少を追跡し修正する負担を減らすために様々な方法を使用することができる。例えば、副画素ストレスサンプリング回路２１５が各イメージ（つまり、映像の各フレーム）の駆動電流調節値の一部だけをサンプリングすることができる。例えば、１０８０画素ライン（または列）を有する表示装置で映像１フレーム当たりストレステーブルの一列だけを更新する実施例がある。例えば、表示映像中の場面が比較的ゆっくり変化する場合には、各副画素に対して一対の駆動電流調節値だけを取り、その間にある１０７９個の値を捨てても（副画素の総ストレスの尺度として）結果的なストレス値における正確度に少ない許容可能な損失だけが生じるようにすることができる。
【００３７】
他の実施形態によれば、副画素ストレスサンプリング回路２１５もフレームの一部だけをサンプリングすることができる。例えば、１０８０画素ライン（または列）を有する表示装置で更新率が６０Ｈｚ（１分当たり６０フレーム）であれば、副画素ストレスサンプリング回路２１５は毎１０フレームごとに１回ずつイメージの駆動電流値全体または一部をサンプリングし、ストレステーブルもこれに合わせて更新される。
【００３８】
副画素ストレスをストレステーブルに保存するのに必要なメモリサイズを縮める様々な方法がある。例えば、ストレスプロファイルチップセットの上にあるメモリはメモリに保存されるデータを圧縮することによって減らすことができる。図３を参照すると、本発明の一部の実施形態によれば、ストレステーブルの圧縮板をメモリ２０５に格納する。圧縮されたストレスデータは第１デコーダ３０５によって圧縮解除された後に駆動電流調節回路２１０に入力される。圧縮されたストレスデータも第２デコーダ３１０によって圧縮解除された後に加算回路２２０に入力され、増加されたストレス値はエンコーダ３１５によって符号化または圧縮された後、メモリ２０５に格納される。エンコーダ３１５は受信したデータを圧縮する方式で符号化し、第１デコーダ３０５および第２デコーダ３１０それぞれはエンコーダ３１５が遂行した動作の逆動作を遂行する。つまり、第１デコーダ３０５および第２デコーダ３１０のそれぞれは受信したデータを圧縮解除する。したがって、ここでは“符号化（暗号化、ｃｏｄｉｎｇ、ｅｎｃｏｄｉｎｇ）”と“圧縮（ｃｏｍｐｒｅｓｓｉｎｇ）”を同じ意味で使用し、“復号化（暗号解除、ｄｅｃｏｄｉｎｇ、ｕｎｅｎｃｏｄｉｎｇ）”と“圧縮解除（ｄｅｃｏｍｐｒｅｓｓｉｎｇ、ｕｎｃｏｍｐｒｅｓｓｉｎｇ）”を同じ意味で使用する。ハフマンコーディング（Ｈｕｆｆｍａｎ  ｃｏｄｉｎｇ）、算術コーディング（ａｒｉｔｈｍａｔｉｃ  ｃｏｄｉｎｇ）などのエントロピーコーディング（ｅｎｔｒｏｐｙ  ｃｏｄｉｎｇ）を含む様々な圧縮方法を使用することができる。
【００３９】
ストレステーブルデータは、ここで“薄片（ｓｌｉｃｅ）”というブロック単位で符号化および複号化されるが、各薄片は、一般にストレステーブルの所定の部分集合であり得る。本発明の一実施形態によれば、各薄片は、ストレステーブルの正方形または長方形の領域に該当し、表示パネル１１０の正四角または長方形の領域に該当する。表示パネル１１０の正方形または長方形の領域は表示装置の薄片と称すことができ、ストレステーブルの該当薄片は表示装置の薄片のストレスプロファイルと称すことができる。特別な言及がない限り、ここで“薄片”は、ストレスプロファイルの薄片という意味で使用する。薄片に対応する表示パネル１１０の領域の水平方向寸法は“薄片幅”といい、垂直方向寸法は“薄片高さ”または“ライン寸法（ｌｉｎｅ  ｄｉｍｅｎｓｉｏｎ）”という。例えば、図４に示したように、薄片は表示装置の４行２４列に該当するが、この場合、薄片幅は２４であり、ラインサイズは４となる。
【００４０】
各薄片の圧縮板に割り当てられるメモリ領域のサイズは、使用する圧縮アルゴリズムにより固定されることもでき、変化させることもできる。本発明の一実施形態によれば、使用する符号化方法の予測圧縮率に基づいて固定および選択されることができる。しかし、動作中に得られた圧縮率は、例えば、非圧縮データでシンボルが繰り返される範囲により異なることができる。動作で得られる圧縮率が充分に高くなくて圧縮された薄片が薄片の圧縮板を保存するのに割り当てられたメモリ領域に合わないと、圧縮を遂行する前に生データを切断して（ｔｒｕｎｃａｔｅ）（つまり、各データワードの最下位ビット中の一つ以上を除去して）メモリに入る薄片の圧縮板の大きさを縮めることによって、当該メモリ領域に合わせる。他の実施形態によれば、最悪の状況を包括できるように必要なメモリの長さを計算できる。他の実施形態によれば、圧縮板の長さを変化させることができ、この場合、圧縮板の長さはテーブルに保存されるかまたは圧縮データに添付される。
【００４１】
前述のように、本発明の一実施形態によれば、符号化と復号化はエントロピーコーディングを使用して遂行できる。使用される符号化は適応型（ａｄａｐｔｉｖｅ）であり得、非圧縮薄片を符号化し圧縮薄片を複号化するのに使用される統計資料（ｓｔａｔｉｓｔｉｃｓ）は周期的に更新され得る。本発明の一実施形態によれば、エンコーダ３１５と第２デコーダ３１０が併置されて（ｃｏｌｌｏｃａｔｅｄ）いるため、この二つの回路が統計資料を共有することができ、例えば、第２デコーダ３１０が生成した復号化されたシンボル統計資料はエンコーダ３１５をシード（ｓｅｅｄ）するのに使用されることができる。動作時には、第１符号化ストレスプロファイルと第１シンボル統計資料集合をメモリ２０５から読み取る。第１符号化ストレスプロファイルは第２デコーダ３１０に入力される入力ビットストリーム５１０として使用することができ、第１シンボル統計資料集合は複号化されるシンボル統計資料５１５として第２デコーダ３１０に入力されることができる。
【００４２】
第２デコーダ３１０は、第１符号化ストレスプロファイルを第１シンボル統計資料集合と共に処理して（ｉ）第１復号化ストレスプロファイル（第２デコーダ３１０の出力端５２０）、（ｉｉ）（更新された）第２シンボル統計資料集合５２５を生成し、これをエンコーダ３１５と共有するレジスター集合またはローカルメモリに保存できる。第１復号化ストレスプロファイルが加算回路２２０によって増加して第２ストレスプロファイルが形成された後（図３）、第２ストレスプロファイルはエンコーダ３１５の入力５３０に提供され、第２デコーダ３１０が生成しエンコーダ３１５と共有する第２シンボル統計資料集合５２５を使用して符号化される。結果的に第２符号化ストレスプロファイル５３５はエンコーダ３１５から出力されてメモリ制御器２２５に入力され、メモリ２０５に格納される。薄片が更新されるごとにこの過程を繰り返すことができる。
【００４３】
本発明の一実施形態によれば、エンコーダ３１５はエントロピー符号化回路に加えて予測および量子化回路を含むことができる。予測および量子化回路は、例えば、薄片の先行する副画素の増加されたストレス値を符号化される副画素の増加されたストレス値の予測値として使用することができる。エンコーダ３１５は符号化される副画素の増加されたストレス値を直接符号化する代わりに、増加されたストレス値とその予測値の差を符号化することができる。量子化回路は前述したような切断（ｔｒｕｎｃａｔｉｏｎ）を遂行することができる。
【００４４】
以上でストレスプロファイル圧縮システムおよび方法に関する一実施形態について説明したが、本発明はこれに限定されず、エンコーダとデコーダが併置された類似システムおよび方法を使用することもできる。
【００４５】
“処理回路”はハードウェア、ファームウエア、ソフトウェアまたはこれらの組み合わせを使用して実現することができる。処理回路は、例えば、応用注文型集積回路（ＡＳＩＣ）、汎用または専用の中央処理装置（ＣＰＵ）、デジタル信号処理（ＤＳＰ）、グラフィック処理装置（ＧＰＵ）、ＦＰＧＡなどのプログラム可能な論理装置を含むことができる。処理回路でそれぞれの関数は、その機能を遂行する有線ハードウェアまたは非一時的な（ｎｏｎ−ｔｒａｎｓｉｔｏｒｙ）記録媒体に格納された命令を遂行するＣＰＵなどの汎用のハードウェアによって遂行できる。処理回路は、単一印刷回路基板（ＰＣＢ）に製作されるかまたは相互連結されたＰＣＢに分散配置されることができる。処理回路は、他の処理回路を含むことができるが、例えば、ＰＣＢ上で相互連結されるＦＰＧＡおよびＣＰＵを含むことができる。
【００４６】
“第１”、“第２”、“第３”などの用語は、本明細書で多様な要素、構成要素、領域、層および／またはセクションを説明するために使用することができるが、これらの要素、構成要素、領域、層および／またはセクションは、これらの用語によって限定されない。これらの用語は、単なる一つの要素、構成要素、領域、層またはセクションを他の要素、構成要素、領域、層またはセクションと区別するために使用される。したがって、上述した第１要素、構成要素、領域、層またはセクションは、本発明の思想および範囲を逸脱せずに、第２要素、構成要素、領域、層またはセクションとも称することができる。
【００４７】
“低”、“下”、“下端”、“うえ”、“上”、“上端”などのように空間的に相対的な用語は、図面に示された１つの要素または特徴の他の要素または特徴に対する関係をより容易に説明するために使用される。空間的に相対的なこのような用語は、図面に示した方向に加えて、使用中または動作中の装置の他の方向を含むように意図されるものと理解されるであろう。例えば、図面の装置をひっくり返すと、他の要素または特徴の“下”または“低”または“下端”にあると説明された要素は、他の要素または特徴の“上”に向くことになる。したがって、“下”および“下端”という例示的な用語は、上と下の方向を全て含むことができる。装置は他の方向に向くことがあり（例えば、９０度または他の方向に回転できる）、本発明で使用される空間的に相対的な技術用語はそれに合わせて解釈されなければならない。さらに、２つの層の間に１つの層があるものと言及する場合、その層は２つの層の間の唯一の層であるか、あるいは１つまたはそれ以上の介在層が存在することができることも理解しなければならない。
【００４８】
本発明で使用される用語は、特定の実施形態だけを説明するためのものであり、本発明の概念を制限しようとするものではない。本発明で使用される用語“実質的に”、“約”および類似な用語は、学術的な用語としてではなく、類似の用語として使用され、測定されたまたは計算された値の固有の偏差を説明するためのものであり、当業者にとって自明に理解できる。本発明で使用される“主成分（ｍａｊｏｒ  ｃｏｍｐｏｎｅｎｔ）”の用語は、組成物または重合体または所定の他の単一成分の量より多い量で組成物、重合体または製品に存在する成分を指す。対照的に、“１次成分（ｐｒｉｍａｒｙ  ｃｏｍｐｏｎｅｎｔ）”の用語は、組成物、重合体または生成物の５０重量％以上を構成する成分を意味する。本明細書で使用される“主要部分（ｍａｊｏｒ  ｐｏｒｔｉｏｎ）”の用語は、複数の項目に適用される場合にその項目の少なくとも半分を意味する。
【００４９】
本発明で使用される単数形態の“１つ”および“１つの”は、文脈上明確に異なって示さない限り、複数形態を含むことを意図している。本発明で使用される“含む”および／または“構成される”という用語は、上述した特徴、整数、段階、動作、構成要素および／または要素の存在を明示しているが、存在を排除しないことがもっと理解されるであろう。または、一つ以上の他の特徴、整数、段階、動作、構成要素、要素および／またはグループの追加を含むことができる。本発明で使用される“および／または”という用語は、一つ以上列挙された項目の任意およびすべての組み合わせを含む。“少なくとも１つ”のような表現は要素のリストに先行する場合に要素の全体リストを修飾し、リストの個別要素を修飾しない。さらに、本発明の概念の実施形態を説明する際に“することができる”の使用は“本発明の１つ以上の実施形態”を示す。また、“例示的な”という用語は例または実例を示す。本発明で使用される“使用”、“使用する”および“使用される”は、それぞれ“利用”、“利用する”および“利用される”と同義語と見なすことができる。
【００５０】
要素または層が他の要素または層“上に”、“連結される”、“結合される”または“隣接する”ものとして言及する場合、１つ以上の介在要素または層が存在することもある。対照的に、要素または層が他の要素または層に“直接的に”、“直接連結される”、または“直に隣接する”ものとして言及する場合、介在する要素または層は存在しない。
【００５１】
本明細書で言及する所定の数値範囲は言及した範囲内に含まれる同一の数値精度の全ての下位範囲を含む。例えば、“１．０〜１０．０”の範囲は最小値１．０および最大値１０．０の間の全ての下位範囲、つまり、１．０以上の最小値および１０．０以下の最大値を有する下位範囲、例えば２．４〜７．６を含む。ここで言及する最大数値の上限はそこに含まれる全てのさらに低い数値の上限を含み、本明細書で言及する最小数値の下限はそこに含まれる全てのさらに高い数値の下限を含む。
【００５２】
以上、ストレスプロファイル圧縮のシステムおよび方法の例示的な実施形態を本発明で具体的に説明し例示したが、様々な変更および修正が当業者には明らかであろう。したがって、本発明の原理に基づいて構成されたストレスプロファイル圧縮のシステムおよび方法は、ここに具体的に説明されたもの以外にも具現できることを理解しなければならない。本発明はまた、次の特許請求の範囲およびその等価物により定義される。
【符号の説明】
【００５３】
１１０：表示パネル
１１５：処理回路
１２０、２０５：メモリ
２１０：駆動電流調節回路
２１５：副画素ストレスサンプリング回路
２２０：加算回路
２２５：メモリ制御器
３０５：第１デコーダ
３１０：第２デコーダ
３１５：エンコーダ
【図１】
2019159325.tif 000003
【図２】
2019159325.tif 000004
【図３】
2019159325.tif 000005
【図４】
2019159325.tif 000006
【図５】
2019159325.tif 000007